(57)【要約】      （修正有）【課題】安価かつ高い信頼性で駆動する時計用日付デバイスを提供する。【解決手段】時計の文字盤の開口の中に日付の指示を表示するためのデバイスであって、一の位の指示器８の外縁１２に配置された空間１４または表示用の開口によって、後に続く異なる数字から分離されている「０」から「９」までの１０個の異なる数字を一定の間隔を空けた状態で動かす一の位の指示器８と、一の位の指示器８と、外縁上で一連の３１個の一定の間隔を空けた数字、連続した９回の数字「０」、次に連続した１０回の数字「１」、次に連続した１０回の数字「２」、最後に連続した２回の数字「３」、を動かす十の位の指示器６と、を含み、一の位の指示器８は十の位の指示器６の上に配置され、十の位の指示器６は１日に１ステップ前進するとともに、日付の指示の表示が「３１」から「０１」に変わる日を除き、一の位の指示器８を毎日１ステップずつ前に進めるように駆動する。【選択図】図２
2015145870.tif 000002
【特許請求の範囲】
【請求項１】
時計の文字盤（１）の開口（２）の中に日付の指示（４）を表示するためのデバイスであって、前記デバイスは、
外縁上で「０」から「９」までの１０個の異なる数字を一定の間隔を空けた状態で動かす一の位の指示器（８）であって、前記１０個の異なる数字の各々は、前記一の位の指示器（８）の前記外縁（１２）に配置された空間（１４）または表示用の開口によって、後に続く前記異なる数字から分離されている、前記一の位の指示器（８）と、
外縁上で一連の３１個の一定の間隔を空けた数字、つまり連続した９回の前記数字「０」、次に連続した１０回の前記数字「１」、次に連続した１０回の前記数字「２」、そして最後に連続した２回の前記数字「３」、を動かす十の位の指示器（６）と、を含み、
前記一の位の指示器（８）は前記十の位の指示器（６）の上側に配置され、前記十の位の指示器（６）は１日に１ステップ前進するとともに、前記日付の指示の表示が「３１」から「０１」に変わる日を除き、前記一の位の指示器（８）を毎日１ステップずつ前に進めるように駆動する、表示デバイス。
【請求項２】
前記十の位の指示器（６）は３０個の歯で形成された第１の歯部（１８）を備え、各歯は前記十の位の指示器（６）が動かす数字のうちの１つに対応して設置され、前記一連の３１個の数字の所与の番号がある前記十の位の指示器（６）の１つの領域（２０）は、前記指示「３１」を前記一の位の指示器（８）の前記数字「１」と共に形成するために使用される前記十の位の指示器（６）の２番目の数字「３」が、開口（２）から消え、前記一の位の指示器（８）の前記数字「１」と共に前記指示「０１」を形成するために前記十の位の指示器（６）の前記一連の９つの数字「０」の最初の数字「０」によって置き換えられるときに、前記一の位の指示器（８）が固定されたままであるようにするために、歯を有さないことを特徴とする、請求項１に記載の表示デバイス。
【請求項３】
十の位の指示器（６）が、３１個の一定の間隔を空けた歯が形成された第２の歯部（２２）を含み、前記歯を介して前記十の位の指示器が前記時計のムーブメントの歯車（２４）により１日に１ステップずつ駆動されることを特徴とする、請求項２に記載の表示デバイス。
【請求項４】
３１個の歯の前記第２の歯部（２２）及び３０個の歯の前記第１の歯部（１８）が前記十の位の指示器（６）の内側縁（１６）に沿って延び、３１個の歯の前記第２の歯部（２２）は前記十の位の指示器（６）の下側レベル上に形成され、３０個の歯の前記第１の歯部（１８）は前記十の位の指示器（６）の上側レベル上に形成されていることを特徴とする、請求項３に記載の表示デバイス。
【請求項５】
３１個の歯の前記第２の歯部（２２）及び３０個の歯の前記第１の歯部（１８）は千鳥型配列であり、３０個の歯の前記第１の歯部（１８）の２つの連続する歯の間の隙間が３１個の歯の前記第２の歯部（２２）の１つの歯に対応することを特徴とする、請求項４に記載の表示デバイス。
【請求項６】
３１個の歯の前記第２の歯部（２２）は前記十の位の指示器（６）の外側縁（２６）に沿って延びることを特徴とする、請求項３に記載の表示デバイス。
【請求項７】
前記一の位の指示器（８）が前記十の位の指示器（６）により、中間車（２８）と、ジャンパーばね（３２）により位置が割り出しされる星形車ユニット（３０）とを介して駆動されることを特徴とする、請求項３−６のいずれか一項に記載の表示デバイス。
【請求項８】
前記一の位の指示器（８）が前記星形車ユニット（３０）に取り付けられることを特徴とする、請求項７に記載の表示デバイス。
【請求項９】
前記一の位の指示器（８）は前記十の位の指示器（６）の上側に同軸に配置されることを特徴とする、請求項１−８のいずれか一項に記載の表示デバイス。
【請求項１０】
「０」から「９」までの前記１０個の異なる数字が前記一の位の指示器（８）上に時計回りの方向に配置され、前記一連の３１個の数字は前記十の位の指示器（６）上に反時計回りの方向に配置されることを特徴とする、請求項１−９のいずれか一項に記載の表示デバイス。
【請求項１１】
前記一の位の指示器（８）と前記十の位の指示器（６）はリングによってそれぞれ形成されることを特徴とする、請求項１−１０のいずれか一項に記載の表示デバイス。
【発明の詳細な説明】
【技術分野】
【０００１】
この発明は、時計用日付表示デバイスに関する。より詳細には、本発明は、この種のデバイスのうち、大きな日付表示に特に適しているものに関する。
【背景技術】
【０００２】
公知の時計用日付表示デバイスは既に多数存在する。通常、これらの日付表示デバイスは複雑であり、多数のコンポーネントを含有する。したがってこれらの原価は高価であり、また、その駆動の信頼性は必ずしも保証されていない。
【発明の概要】
【発明が解決しようとする課題】
【０００３】
この発明の目的は、限られた数のコンポーネントを含有する時計用日付表示デバイスを提供することにより、前記欠点を克服することである。
【課題を解決するための手段】
【０００４】
この目的を達成するために、本発明は時計用文字盤の開口において日付の指示を表示するためのデバイスに関し、前記時計用文字盤は、
−外縁上で「０」から「９」までの前記１０個の異なる数字を一定の間隔を空けた状態で動かす一の位の指示器であって、前記１０個の異なる数字の各々は、前記一の位の指示器の前記外縁に配置された空間または表示用の窓によって、後に続く前記異なる数字から分離されている、前記一の位の指示器と、
−外縁上で一連の３１個の一定の間隔を空けた数字、つまり連続した９回の前記数字「０」、次に連続した１０回の前記数字「１」、次に連続した１０回の前記数字「２」、そして最後に連続した２回の前記数字「３」、を動かす十の位の指示器と、を含み、
−前記一の位の指示器は前記十の位の指示器の上側に配置され、前記十の位の指示器は１日に１ステップ前進するとともに、前記日付の指示の表示が「３１」から「０１」に変わる日を除き、前記一の位の指示器を毎日１ステップずつ前に進めるように駆動する。
【０００５】
これらの特徴の結果として、本発明は限られた数のコンポーネントを含む日付表示デバイスを提供する。したがって、この種のデバイスは前記従来技術のデバイスよりも安価かつより高い信頼性で駆動する。
【０００６】
この発明のさらなる特徴によれば、
−前記十の位の指示器は３０個の歯の歯部を備え、各歯は前記十の位の指示器が動かす数字に対応して設置され、前記一連の３１個の数字の所与の番号がある前記十の位の指示器の１つの領域は、前記指示「３１」を前記一の位の指示器の数字「１」と共に形成するために使用される前記十の位の指示器の２番目の数字「３」が、開口から消え、前記一の位の指示器の前記数字「１」と共に前記指示「０１」を形成するために前記十の位の指示器の前記一連の９つの数字「０」の最初の数字「０」によって置き換えられるときに、前記一の位の指示器が固定されたままであるようにするために、歯を有さず、
−前記３０個の歯の歯部は前記十の位の指示器の前記外縁で延びており、
−前記十の位の指示器は、下側レベル上に、３１個の一定の間隔を空けた歯が形成された歯部を含み、前記歯を介して前記十の位の指示器が前記時計のムーブメントの歯車により１日に１ステップずつ駆動され、
−前記一の位の指示器は、中間車と、ジャンパーばねにより位置が割り出しされる星形車ユニットとを介して、前記十の位の指示器により駆動され、
−前記一の位の指示器は前記星型車ユニット上に取り付けられ、
−前記一の位の指示器は前記十の位の指示器の上側に同軸に配置され、
−「０」から「９」までの前記１０個の異なる数字は、時計回りの方向に前記一の位の指示器の上に配置され、前記一連の３１個の数字は、反時計回りの方向に前記十の位の指示器の上に配置され、
−前記一の位の指示器及び前記十の位の指示器はリングによってそれぞれ形成される。
【０００７】
本発明の他の特徴及び利点は、本発明の前記日付表示デバイスの実施例についての以下の詳細な説明から、よりはっきりと明らかになるであろう。これらの例は、添付された以下の図を参照しつつ限定を目的としない説明としてのみ与えられる。
【図面の簡単な説明】
【０００８】
【図１】図１は、この発明の日付表示デバイスを備えた時計の前記文字盤の上面図である。
【図２】図２は、組立前の状態におけるこの発明の前記日付表示デバイスの斜視図である。
【図３】図３は、図１の時計から前記文字盤と前記 一の位の指示器のリングを除去して前記十の位の指示器のリングが見えるようにした、前記時計の上面図である。
【図４】図４は、前記一の位の指示器のリングが前記十の位の指示器のリングの上側に同軸に配置されている、図３の前記時計の上面図である。
【図５】図５は、前記十の位の指示器の底面斜視図である。
【図６】図６は、２４時間で１回転を完了するとともに、爪を動かす前記駆動車の図である。ここで、前記駆動車は、前記爪を介して前記十の位の指示器のリングの、３１個の歯を有する前記第２の歯部と噛み合っている。
【発明を実施するための形態】
【０００９】
本発明は十の位の指示器を介して日付表示デバイスの前記一の位の指示器を駆動するという、一般的発明概念に由来する。前記十の位の指示器は、その月の最初の３０日間は１日に１回前記一の位の指示器を駆動するが、３１日目には、前記一の位の指示器は、前記日付の表示が指示「３１」から指示「０１」に変化する間、固定されたままである。前記一の位の指示器は前記十の位の指示器の上側に配置されているので、前記２つの指示器の表面領域は、大きな寸法の表示器を提供しながらも依然として許容できる寸法のままである。
【００１０】
図１は、この発明の日付表示デバイスを備えた時計の前記文字盤の上面図である。全体を通して一般参照数字１により指定されている、前記文字盤は、この図に示される例では正午に位置しその中に日付の指示４が見える開口２を含む。この日付の指示４は一の位用の数字４ａと十の位用の数字４ｂとから形成される。
【００１１】
この発明によれば、前記日付表示デバイスは、十の位の指示器のリング６と一の位の指示器のリング８とを含む。図２及び図３に認められるように、前記十の位の指示器のリング６は外縁１０上で一連の３１個の一定の間隔を空けた数字、つまり連続した９回の前記数字「０」、次に連続した１０回の前記数字「１」、次に連続した１０回の前記数字「２」、そして最後に連続した２回の前記数字「３」、を動かす。この図に示される前記例では、前記十の位の指示器６が動かす前記３１個の数字は、反時計回りの方向に互いに一定の間隔を空けた状態で続いている。言うまでもなく、当業者が理解可能な変更により、十の位の指示器６が動かす前記数字は時計回りの方向に分布させることができる。一の位の指示器８は、外縁１２上で「０」から「９」までの前記１０個の異なる数字を一定の間隔を空けた状態で動かすが（特に図２を参照。）、前記１０個の異なる数字の各々は、それに続く異なる数字から、前記一の位の指示器のリング８の前記外縁１２に配置された空間１４によって分離されている。この図に示される前記例では、「０」から「９」までの前記１０個の異なる数字は互いに時計回りの方向に続いている。もちろん、十の位の指示器６が動かす前記数字が互いに時計回りの方向に続く場合、一の位の指示器８が動かす前記数字は互いに反時計回りに続く。空間１４の役割は、一の位の指示器８が十の位の指示器のリング６の上側に配置されたときに、十の位の指示器６が動かす前記指示が見えるようにすることである。好ましいが限定的ではない例として、一の位の指示器のリング８は十の位の指示器のリング６に対して同軸に配置される。図示されない変形例についていえば、前記空間１４は２つの連続した異なる数字の間にその都度配置される表示用の開口に置き換えることができる。
【００１２】
十の位の指示器のリング６は、その内側縁１６に沿った上側レベル上に、３０個の歯の第１の歯部１８を含み（図５を参照。）、前記歯の各々は十の位の指示器のリング６が動かす前記３０個の数字のうちの１つに対応して設置されている。この発明によれば（図２を参照。）、十の位の指示器のリング６の領域２０は、前記一連の３１個の数字の所与の数字がある領域であり、歯を有さない。それは、前記指示「３１」を一の位の指示器のリング８の数字「１」と共に形成するために使用される十の位の指示器のリング６の２番目の数字「３」が、開口２から消え、一の位の指示器８の前記数字「１」と共に前記指示「０１」を形成するために十の位の指示器のリング６の前記一連の９つの数字「０」の最初の数字「０」によって置き換えられるときに、一の位の指示器のリング８が固定されたままであるようにするためである。この図に示される前記例において、十の位の指示器６の歯を有さない領域２０は、前記連続する１０個の数字「２」の最初の数字「２」に対応する。十の位の指示器のリング６における歯を有さない領域２０の場所が、文字盤１上における開口２の前記位置及び中間車２８の前記位置とに依存することを理解することは、明らかに不可欠である。この図に示される前記例では、開口２は文字盤１上で正午に位置する。しかし、文字盤１上の他の場所、例えば３時または９時に開口２を配置することは問題なく可能である。その場合、前記指示「３１」が開口２から消え前記指示「０１」に置き換えられるときに一の位の指示器のリング８を固定したままにしておくために、十の位の指示器のリング６の前記歯のない領域２０の場所が変更されなければならない。
【００１３】
十の位の指示器のリング６は、下側レベル上に、第２の歯部２２も含むが、前記第２の歯部２２は、３１個の一定の間隔を空けた歯であって、それを介して前記十の位の指示器のリング６が前記時計のムーブメントの歯車２４によって１日に１ステップずつ駆動される歯から形成されている。この目的を達成するために、駆動車２４は２４時間で１回転を完了するとともに、爪２４ａを動かす（図６を参照。）。ここで、前記駆動車２４は、前記爪２４ａを介して前記十の位の指示器のリング６の前記第２の歯部２２と噛み合っている。この発明の好ましいが限定的ではない変形によれば、前記第２の歯部２２は十の位の指示器のリング６の前記内側縁１６に沿って延びている。この図に示される前記実施例において、前記第２の歯部２２は、十の位の指示器のリング６の底部に貼着された部分の形態をとっている。もちろん、その第１及び第２の歯部１８及び２２と一体化した十の位の指示器のリング６を作ることを考えることも可能である。他の図示されない変形によれば、前記第２の歯部２２を外側縁２６に沿って配置することができる。
【００１４】
第２の歯部２２及び第１の歯部１８の前記歯は千鳥形、すなわち、第２の歯部２２の１つの歯が第１の歯部１８における２つの連続した歯の間の隙間に対応するように配列されていることが認められる。
【００１５】
この図に示される前記例では、十の位の指示器のリング６は時計回りの方向に回転し、その第１の歯部１８を介して、やはり時計回りの方向に回転するとともに、ジャンパーばね３２によって位置が割り出しされる星形車ユニット３０と次々に噛み合う中間車２８を駆動する。前記星形車ユニット３０は、反時計回りの方向に回転するとともに、星形車ユニット３０に任意の適切な手段により固定された前記一の位の指示器８を動かす。
【００１６】
十の位の指示器のリング６が１日に１ステップ前進し、中間車２８及び星形車ユニット３０を介して、一の位の指示器８を１日に１ステップずつ前に進めるように駆動することは、上記から明らかであろう。この駆動は、前記指示「３１」が開口２から消え前記指示「０１」に置き換えられる日を除き、毎日繰り返される。実際、その日には、十の位の指示器のリング６が１ステップ前進するのに対して、中間車２８が固定されたまま、そしてその結果として一の位の指示器のリング８が固定されたままであるようにするために、中間車２８が十の位の指示器のリング６の歯を有さない領域２０に対向する。
【００１７】
言うまでもなく、この発明は記載された前記実施例に限られず、添付される請求項によって定義されるこの発明の要旨を逸脱しない範囲で、当業者によってさまざまな簡単な変更及び変形が考えられる。特に、前記数字が十の位の指示器のリング６上及び一の位の指示器のリング８上に配置される前記方向は、上記記載と逆にされてもよいことが理解されるであろう。その場合には、一の位の指示器のリング８及び十の位の指示器のリング６の回転方向もまた逆にされるであろう。十の位の指示器６と一の位の指示器８は２つのリングの形で作られることも認められるであろう。これらの２つの指示器６及び８は、その表面上に十の位及び一の位のさまざまな数字が配置される２つの透明なディスクの形態をとることができる。
【図１】
2015145870.tif 000003
【図２】
2015145870.tif 000004
【図３】
2015145870.tif 000005
【図４】
2015145870.tif 000006
【図５】
2015145870.tif 000007
【図６】
2015145870.tif 000008